(57)【要約】【課題】映像データのスキップされた区間の内容をユーザに把握させるとともに、ユーザの視聴時間を短縮させることができる映像再生装置、映像再生方法及び映像再生プログラムを提供する。【解決手段】区間データを順次、再生処理して親画面データとして出力するとともに、任意の区間データの再生処理中に区間スキップ操作信号が入力された場合、この区間スキップ操作信号が入力されたタイミングに対応する再生位置から次の区間データにおける最初の再生位置までの間をスキップして再生処理を続行する親画面生成部１４と、区間スキップ操作信号が入力された場合に、スキップされる映像データのうち後部の所定期間の映像データを縮小して再生処理し、子画面データとして出力する子画面生成部１５と、親画面生成部１４から出力された親画面データの一部に子画面生成部１５から出力された子画面データを合成し、映像データとして出力する映像合成部１６とを有する。【選択図】    図１
2008135848.tif 000002
【特許請求の範囲】
【請求項１】
複数の区間データで構成された映像データを再生処理して出力する映像再生装置であって、
入力された再生操作信号に基づき、前記各区間データを順次、再生処理して親画面データとして出力するとともに、任意の区間データの再生処理中に区間スキップ操作信号が入力された場合に、この区間スキップ操作信号が入力されたタイミングに対応する再生位置から前記任意の区間データの次の区間データにおける最初の再生位置までの間をスキップして前記再生処理を続行する親画面生成部と、
前記区間スキップ操作信号が入力された場合に、前記スキップされる映像データのうち後部の所定期間の映像データを縮小して再生処理し、子画面データとして出力する子画面生成部と、
前記親画面生成部から出力された親画面データの一部分に前記子画面生成部から出力された子画面データを合成し、映像データとして出力する映像合成部と、
を備えたことを特徴とする映像再生装置。
【請求項２】
複数の区間データで構成された映像データを再生処理して出力する映像再生方法であって、
入力された再生操作信号に基づき、前記各区間データを順次、再生処理して親画面データとして出力し、任意の区間データの再生処理中に区間スキップ操作信号が入力された場合に、この区間スキップ操作信号が入力されたタイミングに対応する再生位置から前記任意の区間データの次の区間データにおける最初の再生位置までの間をスキップして前記再生処理を続行する親画面生成ステップと、
前記区間スキップ操作信号が入力された場合に、前記スキップされる映像データのうち後部の所定期間の映像データを縮小して再生処理し、子画面データとして出力する子画面生成ステップと、
前記親画面生成ステップにおいて出力された親画面データの一部分に前記子画面生成ステップにおいて出力された子画面データを合成し、映像データとして出力する映像合成ステップと、
を有したことを特徴とする映像再生方法。
【請求項３】
複数の区間データで構成された映像データを再生して出力する処理をコンピュータに実行させるための映像再生プログラムであって、
入力された再生操作信号に基づき、前記各区間データを順次、再生処理して親画面データとして出力し、任意の区間データの再生処理中に区間スキップ操作信号が入力された場合に、この区間スキップ操作信号が入力されたタイミングに対応する再生位置から前記任意の区間データの次の区間データにおける最初の再生位置までの間をスキップして前記再生処理を続行する親画面生成ステップと、
前記区間スキップ操作信号が入力された場合に、前記スキップされる映像データのうち後部の所定期間の映像データを縮小して再生処理し、子画面データとして出力する子画面生成ステップと、
前記親画面生成ステップにおいて出力された親画面データの一部分に前記子画面生成ステップにおいて出力された子画面データを合成し、映像データとして出力する映像合成ステップと、
を前記コンピュータに実行させる映像再生プログラム。
【発明の詳細な説明】
【技術分野】
【０００１】
本発明は、映像データの区間をスキップする際の映像再生装置、映像再生方法及び映像再生プログラムに関する。
【背景技術】
【０００２】
近年、ハードディスク等の記録媒体の研究開発が進み、記録媒体の記録容量が増加している。記録媒体の記録量の増加に伴い、ビデオディスクレコーダ等の映像記録再生装置の記録媒体に蓄積できる映像データ（コンテンツデータ）も、長時間のものが増えている。しかし、ユーザが多数の映像データ又は長時間に渡る映像データを記録媒体に蓄積した場合、全ての映像データの視聴時間を確保することが実質困難になることもある。
【０００３】
そこで、従来、蓄積されている映像データを短時間で視聴するために、早送り再生やスキップ再生をする等によって視聴部分を選択して映像データの部分的な視聴を行っていた。部分的な視聴をする際に、早送り再生を自動化する技術もあった（例えば、特許文献１参照）。特許文献１に記載の技術は、映像データを高速に順方向にサーチし、ハイライトとして検出されたシーンがあった場合には、検出されたハイライト部分を通常速度（一倍速）で再生するものである。
【０００４】
また、映像データから自動で選択された重要なシーンのみを再生し、視聴時間を短縮させる技術も知られている（例えば、特許文献２参照）。特許文献２に記載の技術は、映像データとともに取得する映像データ中の重要なシーンの情報であるストリーム情報、又は映像データを分析して得られたストリーム情報によって、重要とされるシーンのみからなるダイジェストを成生して再生し、他のシーンは再生せずに飛ばす（スキップする）ものである。
【特許文献１】特開平１１−５５６１３号公報
【特許文献２】特開平１１−２３８０７１号公報
【発明の開示】
【発明が解決しようとする課題】
【０００５】
上述したように、特許文献１に記載の技術では、ハイライト部分から次のハイライト部分までの再生については、スキップせずに高速で再生している。したがって、ハイライトとして検出されていない部分についても再生時間が必要となり、ユーザが短時間で視聴を終えたいという要求を十分満たすことができない問題があった。
【０００６】
また、特許文献２に記載の技術では、ユーザは、ダイジェストに使用されなかったシーンの内容について把握することができない。したがって、ダイジェストの生成に使用したシーンの選択が適切であったかを確認するため、または、ダイジェストの生成に選択されなかったシーンの内容を確認するため、映像データを巻き戻しする必要が生じることがあった。
【０００７】
そこで、本発明は、映像データの区間をスキップさせた際に、スキップされた区間の内容をユーザに把握させるとともに、ユーザの視聴時間を短縮させることができる映像再生装置、映像再生方法及び映像再生プログラムを提供することを目的とする。
【課題を解決するための手段】
【０００８】
上記課題を解決するため、本発明の請求項１に係る映像再生装置によれば、入力された再生操作信号に基づき、各区間データを順次、再生処理して親画面データとして出力するとともに、任意の区間データの再生処理中に区間スキップ操作信号が入力された場合に、この区間スキップ操作信号が入力されたタイミングに対応する再生位置から任意の区間データの次の区間データにおける最初の再生位置までの間をスキップして再生処理を続行する親画面生成部と、区間スキップ操作信号が入力された場合に、スキップされる映像データのうち後部の所定期間の映像データを縮小して再生処理し、子画面データとして出力する子画面生成部と、親画面生成部から出力された親画面データの一部分に子画面生成部から出力された子画面データを合成し、映像データとして出力する映像合成部とを備えたことを特徴とする。
【０００９】
また、本発明の請求項２に係る映像再生方法によれば、入力された再生操作信号に基づき、各区間データを順次、再生処理して親画面データとして出力し、任意の区間データの再生処理中に区間スキップ操作信号が入力された場合に、この区間スキップ操作信号が入力されたタイミングに対応する再生位置から任意の区間データの次の区間データにおける最初の再生位置までの間をスキップして再生処理を続行する親画面生成ステップと、  区間スキップ操作信号が入力された場合に、スキップされる映像データのうち後部の所定期間の映像データを縮小して再生処理し、子画面データとして出力する子画面生成ステップと、  親画面生成ステップにおいて出力された親画面データの一部分に子画面生成ステップにおいて出力された子画面データを合成し、映像データとして出力する映像合成ステップとを有したことを特徴とする。
【００１０】
さらに、本発明の請求項３に係る映像再生プログラムによれば、入力された再生操作信号に基づき、各区間データを順次、再生処理して親画面データとして出力し、任意の区間データの再生処理中に区間スキップ操作信号が入力された場合に、この区間スキップ操作信号が入力されたタイミングに対応する再生位置から任意の区間データの次の区間データにおける最初の再生位置までの間をスキップして再生処理を続行する親画面生成ステップと、区間スキップ操作信号が入力された場合に、スキップされる映像データのうち後部の所定期間の映像データを縮小して再生処理し、子画面データとして出力する子画面生成ステップと、親画面生成ステップにおいて出力された親画面データの一部分に子画面生成ステップにおいて出力された子画面データを合成し、映像データとして出力する映像合成ステップと、  をコンピュータに実行させることを特徴とする。
【発明の効果】
【００１１】
本発明によれば、映像データの区間をスキップした際に、スキップされた区間の内容をユーザに把握させるとともに、ユーザの視聴時間を短縮させることができる。
【発明を実施するための最良の形態】
【００１２】
［第１の実施形態］
〈映像再生装置〉
図１に示すように、本発明の第1実施形態を適用した映像再生装置１は、記録媒体１１、データ読出部１２、操作入力部１３、親画面生成部１４、子画面生成部１５、映像合成部１６、シーンデータ管理部１７、及びシーンデータ生成部１８を有している。映像再生装置１は、表示装置２と接続されており、記録媒体１１に記録されている映像データを表示装置２に表示させる。映像再生装置１では、操作入力部１３を介して映像データの一部分の再生を飛ばすためのスキップ操作が入力されると、映像データの指定された部分がスキップされる。またこのとき、映像再生装置１では、スキップ後の映像データ（親画面２０）に、スキップされた所定部分の映像データ（子画面２１）を合成し、表示装置２に表示させる。
【００１３】
記録媒体１１に記録されている映像データは、複数の区間（シーン）によって構成されているものとする。そのため、映像データのスキップは、このシーン単位で行われるものとして説明する。例えば、映像データの再生中にシーンがスキップされると、再生中のシーンの次のシーンの先頭から再生が再開される。
【００１４】
記録媒体１１は、磁気ディスクや光ディスク等の記録媒体であって、放送番組や配信番組等の映像データ（コンテンツデータ）が保存されている。映像データは、例えばMPEG等の方式で圧縮符号化（エンコード）されている。また、記録媒体１１は、高速ランダムアクセスが可能であり、映像データの指定部分を読み出すことが可能である。
【００１５】
操作入力部１３は、ユーザの操作によって不図示の操作ボタンからの種々の操作が入力される。また操作入力部１３は、リモコン３から送信された種々の操作リクエストを受信する受信部を有していてもよい。図２に、操作リクエストを送信するリモコン３の一例を示す。操作入力部１３は、リモコン３の再生ボタン３１が押下されると、再生操作信号を入力する。また、操作入力部１３は、停止ボタン３２が押下されると、停止操作信号を入力する。さらに、操作入力部１３は、映像データの区間のスキップを操作するスキップボタン３３〜３５のうちいずれかが操作されると、スキップ操作信号を入力する。具体的には、シーンスキップボタン３３の押下によってシーンスキップ操作信号が、チャプタスキップボタン３４の押下によってチャプタスキップ操作信号が、定間隔スキップボタン３５の押下によって定間隔スキップ信号が入力される。
【００１６】
データ読出部１２は、ユーザの操作によって操作入力部１３に映像データの再生をリクエストする再生操作信号が入力されると、記録媒体１１から、該当する映像データを読み出して、親画面生成部１４に出力する。また、データ読出部１２は、ユーザの操作によって操作入力部１３に区間（シーン）のスキップをリクエストするスキップ操作信号が入力されると、記録媒体１１から、所定の映像データを読み出して、子画面生成部１５に出力する。映像データは、MPEGデータ等のストリームデータによって構成されているため、映像データの読み出しは、各ストリームデータを順次読み出すことによって行われ、読み出されたストリームデータは順次出力される。
【００１７】
親画面生成部１４は、再生操作にしたがって記録媒体１１から読み出された区間データ（シーンデータ）を順次、親画面データとして出力するとともに、所定の区間データの再生中に区間のスキップ操作が入力されると、この再生中の区間データの次にある区間データを、親画面データとして出力する。親画面生成部１４は、親画面の映像データを生成するために、第１メモリ１４１及び第１デコーダ１４２を有している。ここで、親画面の映像データとは、ユーザによって再生が操作された映像データである。第１メモリ１４１は、データ読出部１２から入力した映像データを一時保存する。第１デコーダ１４２は、第１メモリ１４１に保存された映像データを復号（デコード）し、親画面の映像データとして出力する。
【００１８】
子画面生成部１５は、スキップ操作が入力されると、記録媒体１１から読み出された所定の区間データ（シーンデータ）に基づいて定められるプレビュー区間データを縮小し、子画面データとして出力する。子画面生成部１５は、子画面の映像データを生成するために、第２メモリ１５１、第２デコーダ１５２、及びビデオスケーラ１５３を有している。ここで、子画面の映像データとは、ユーザによって再生がスキップされた映像データに基づいて定められる映像データを縮小し、親画面の映像データに合成される映像データである。第２メモリ１５１は、データ読出部１２から入力した映像データを保存する。第２デコーダ１５２は、第２メモリ１５１で保存された映像データを復号し、ビデオスケーラ１５３に出力する。ビデオスケーラ１５３は、フィルタリングやサンプリング処理によって、第２デコーダ１５２によって復号された映像データの画像サイズを縮小して新たな映像データを生成し、子画面の映像データとして出力する。
【００１９】
映像合成部１６は、親画面生成部１４から親画面の映像データのみを入力するときには、親画面の映像データを表示装置２に出力して表示させる。また、映像合成部１６は、親画面生成部１４から親画面の映像データを入力するとともに子画面生成部１５から子画面の映像データを入力すると、親画面の映像データと子画面の映像データとを合成した映像データを表示装置２に出力して表示させる。
【００２０】
シーンデータ管理部１７は、シーン情報記録部（図示せず）を有し、映像データのスキップに利用されるシーンデータ１７１を管理している。シーンデータ１７１は、図３に一例を示すように、コンテンツID、シーンID、シーン名、シーン種別、開始時間、時間長、及び重み値を関連付けたレコードを有している。コンテンツIDは、記録媒体１１に蓄積されている映像データの識別子であり、シーンIDは、映像データに含まれるシーンの識別子である。シーン名は、シーンに付けられた名称である。シーン種別は、シーンの種類の情報であり、例えば、「本編」や「CM」等である。開始時間は、コンテンツが開始してからシーンが開始するまでの時間であり、時間長は、シーンの持続時間であり、重み値は、シーンの重要度を数値（例えば、0〜1の数値内で設定した値）である。
【００２１】
図３に示すシーンデータ１７１では、コンテンツａのシーン01のシーン名は、「Ａ」であり、種別は「本編」であり、コンテンツａの先頭（開始してから0分の位置）にあり、時間長は5分であり、重み値は「1」であることが分かる。また、コンテンツａのシーン02のシーン名は、「Ｂ」であり、種別は「本編」であり、コンテンツａが開始してから5分後に開始し、時間長は4分であり、重み値は「0.5」であることが分かる。さらに、コンテンツａのシーン03のシーン名は、「Ｃ」であり、種別は「ＣＭ」であり、コンテンツａが開始してから9分後に開始し、時間長は2分であり、重み値は「0.1」であることが分かる。
【００２２】
例えば、シーンデータ１７１は、映像データが記録媒体１１に記録される際、映像データとともに取得されて記録される。又は、シーンデータ１７１は、映像データが記録媒体１１に記録されてから、シーンデータ生成部１８によって生成されてもよい。
【００２３】
シーンデータ生成部１８は、映像データをから所定のルールで各シーンを抽出し、各シーンにシーンＩＤ、シーン名、シーン種別、重み値を指定するとともに、開始時間、時間長を算出してシーンデータ１１７を生成する。
【００２４】
図４を用いて、映像再生装置１における映像データのスキップ動作を簡単に説明する。映像再生装置１では、通常再生時には、表示装置２に親画面の映像データ２０ａが表示される。
【００２５】
シーンのスキップ操作がされると、表示装置２では、親画面の映像データ２０ｂの一部に子画面の映像データ２１が表示される。この子画面の映像データ２１は、スキップされた区間の映像データに基づいて生成された映像データであり、スキップされたシーンの終了前の所定時間の映像データが早送り再生される映像データである。
【００２６】
その後、スキップされた区間の映像データ（子画面の映像データ２１）の表示が終了すると、子画面は消滅し、再び親画面の映像データ２０ｃが表示される。
【００２７】
〈映像再生処理〉
続いて、図５及び図６を用いて、映像再生装置１において映像データのスキップ操作がされた場合について説明する。図５（ａ）に示すように、映像データ（コンテンツa）のシーン01が再生中に、データra1まで再生されたスキップ開始位置ta1の時点でシーンスキップ操作信号が操作入力部１３に入力された場合、シーン01の次のシーン02の先頭位置（スキップ終了位置ta2）までスキップされる。このとき、スキップ内位置（プレビュー開始位置）ta3からプレビュー終了位置ta4までのデータra3が子画面の映像データとして表示装置２に表示される。
【００２８】
図５（ｂ）は、スキップ操作がされた場合に親画面生成部１４及び子画面生成部１５で処理されるデータの様子を示す図である。また、映像再生装置１における、スキップ操作がされた際の処理を図６のシーケンス図に示す。
【００２９】
図６に示すように、まず、操作入力部１３に再生操作信号が入力されると（S101）、データ読出部１２は、記録媒体１１からシーン01の映像データを読み出す（S102）。また、データ読出部１２は、読み出したデータra1を親画面生成部１４に出力する（S103）。親画面生成部１４に入力されたデータra1は、図５（ｂ）に示すように、第１メモリ１４１に記憶される（S104）。
【００３０】
第１デコーダ１４２は、第１メモリ１４１に記憶されたデータra1をデコードし（S105）、図５（ｂ）に示すように、映像合成部１６に出力する（S106）。映像合成部１６は、このデータra1の親画面の映像データを表示装置２で表示させる（S107）（通常再生期間pa1）。
【００３１】
また、データ読出部１２は、ステップS102の処理におけるデータra1の読み出しの空き時間に、シーン01がスキップされた場合に表示される子画面用のデータ（プレビュー区間データ）ra3を記録媒体１１から読み出す（S102）。すなわち、読み出しの際には、図５（ｂ）に示すように、データra1とデータra3の読み出しが同時に行われる期間（ダブル読出区間）がある。
【００３２】
データ読出部１２は、読み出したデータra3を子画面生成部１５に出力する（S108）。子画面生成部１５に入力されたデータra3は、図５（ｂ）に示すように、第２メモリ１５１に記憶される（S109）。
【００３３】
シーン01の再生中に操作入力部１３にシーンスキップ操作信号が入力されると（S110）、データ読出部１２は、次のシーン02のシーンデータra2の読み出しを開始する（S111）。また、データ読出部１２は、読み出したデータra2を親画面生成部１４に出力する（S112）。親画面生成部１４に入力されたデータra2は、図５（ｂ）に示すように、第１メモリ１４１に記憶される（S113）。
【００３４】
第１デコーダ１４２は、第１メモリ１４１に記憶されたデータra2をデコードし（S114）、図５（ｂ）に示すように、映像合成部１６に出力する（S115）。
【００３５】
データra2の読み出しがされるまでにデータra3の読み出しが終了していない場合には、データ読出部１２は、データra2とともにデータra3を記録媒体１１から読み出す（S111）。また、データ読出部１２は、読み出したデータra3を子画面生成部１５に出力する（S116）。子画面生成部１５に入力されたデータra3は、第２メモリ１５１に記憶される（S117）。
【００３６】
その後、第２デコーダ１５２は、ステップＳ109又はステップＳ116で第２メモリ１５１に記憶されたデータra3をデコードし、ビデオスケーラ１５３に出力する（S118）。ビデオスケーラ１５３は、デコードされたデータra3を画像縮小処理によって縮小し（S119）、映像合成部１６に出力する（S120）。
【００３７】
親画面の映像データra2と子画面の映像データra3とを入力した映像合成部１６は、親画面の映像データに子画面の映像データを合成して表示装置２に表示させる（S121,S122）（通常再生期間pa2、通常再生期間pa3）。
【００３８】
子画面の映像データra3の再生が終了すると、映像再生装置１では、データ読出部１２によって読み出された続きのデータra2が親画面生成部１４においてデコードされて映像合成部１６に入力され（S123〜S127）、表示装置２に表示される（S128）（通常再生期間pa2）。データra2の読み出しの空き時間には、図５（ｂ）に示すように、シーンデータ02に対してスキップ操作信号が入力された場合に使用されるプレビュー区間データra4が読み出される。
【００３９】
上述したように、本発明の第１の実施形態を適用した映像再生装置１によれば、映像データの再生中にシーンがスキップされたとき、次のシーンの再生とともに、子画面としてスキップされたシーンの一部を表示する。これによって、ユーザにスキップされたシーンの内容及びスキップされたシーンから次のシーンへの移り変わりを把握させることができとともに、ユーザの視聴時間を短縮させることができる。
【００４０】
なお、図１に示す映像再生装置１は、映像再生装置１中のCPU（図示せず）に映像再生プログラムを実行させることによって、データ読出部１２、操作入力部１３、親画面生成部１４、子画面生成部１５及び映像合成部１６が上記の処理を実行することができる。
【００４１】
〈変形例〉
シーンデータの他に、シーンによって構成されるチャプタデータを用いた場合、チャプタスキップをさせることもできる。図７に本発明の第１の実施形態の変形例を適用した映像再生装置で使用されるチャプタデータ１７２の一例を示す。変形例である映像再生装置では、シーンデータ管理装置１７は、シーンデータ１７１とともに、チャプタデータ１７２を有している。図７に示すチャプタデータ１７２は、それを自動で生成する場合は図３に示したシーンデータから、例えばコンテンツaの重み値が1のシーンのみを抽出して構成されたデータとする。チャプタ01は、図３に示したシーン01である。図７によれば、シーン01の他、コンテンツaからはシーン05、シーン12が抽出されてチャプタデータ１７２が生成されたことが分かる。なお、チャプタは、自動で生成するのではなく、コンテンツにあらかじめ付随している場合はそれを利用してもよい。
【００４２】
映像再生装置１では、チャプタ再生モードで再生される場合、このチャプタデータ１７２を用いて、映像データから抽出されたシーンのみが再生される。図７に示すチャプタデータ１７２を対象としたとき、操作入力部１３を介してチャプタ再生モードで再生操作信号が入力されると、記録媒体１１に記録される映像データからチャプタ01（シーン01）、チャプタ02（シーン05）、チャプタ03（シーン12）が順番に読み出されて表示される。
【００４３】
チャプタスキップの操作については、図５に示すシーン01をチャプタ01に置き換え、シーン02をチャプタ02に置き換えることで説明できる。すなわち、チャプタ再生モードで再生操作信号が入力されると、親画面生成部１４の処理によってチャプタ01のデータが再生中に、子画面生成部１５ではチャプタ01から子画面用のデータも読み出されている。チャプタ01が再生中にチャプタスキップボタン３４が押下されてチャプタスキップ操作信号が入力されると、チャプタ02の親画面の映像データにチャプタ01のデータで生成された子画面の映像データが合成されて、表示装置２に表示される。
【００４４】
なお、定間隔スキップボタン３５が押下されて定間隔スキップ操作信号が入力されると、指定される一定間隔（例えば、30秒、60秒等）が経過後の映像データの読み出しが開始されて親画面の映像データとされるとともに、スキップされた映像データから生成された子画面の映像データが合成されて、表示装置２に表示される。
【００４５】
このように、シーンスキップの他に、チャプタスキップや定間隔スキップによっても、ユーザにスキップされた映像データの内容及びスキップされたシーンから次のシーンへの移り変わりを把握させることができとともに、ユーザの視聴時間を短縮させることができる。
【００４６】
なお、本変形例による映像再生装置は、上述した第１の実施の形態に係る映像再生装置１でインストールされた映像再生プログラムと異なる映像再生プログラムがインストールされることによって実現される。
【００４７】
［第２の実施形態］
次に、本発明の第２の実施形態を適用した映像再生装置１ｂについて説明する。映像再生装置１ｂの構成は、上述した図１による映像再生装置１と同一であるため、共通部分については説明を省略する。映像再生装置１ｂは、第１の実施形態を適用した映像再生装置１と、映像データのスキップ処理が異なる。映像再生装置１ｂは、上述した映像再生装置１にインストールされた映像再生プログラムと異なる映像再生プログラムがインストールされてＣＰＵで実行されることによって実現される。
【００４８】
映像再生装置１ｂでも、図８（ａ）に示すように、映像データ（コンテンツa）を再生中に、データrb1まで再生されたスキップ開始位置tb1の時点でシーンスキップ操作信号が操作入力部１３に入力された場合、シーン01の次のシーン02の先頭位置（スキップ終了位置tb2）までスキップされる。このとき、スキップ内位置tb3からスキップ終了位置tb2までのデータrb3が子画面の映像データとして表示装置２に表示される。
【００４９】
図８（ｂ）は、スキップ操作がされる場合の親画面生成部１４及び子画面生成部１５で処理されるデータの様子を示す図である。また、映像再生装置１ｂにおける、スキップ操作がされた際の処置を図９のシーケンス図に示す。
【００５０】
図９に示すように、まず、操作入力部１３に再生操作信号が入力されると（S201）、データ読出部１２は、記録媒体１１からシーン01の映像データを読み出す（S202）。また、データ読出部１２は、読み出したデータrb1を親画面生成部１４に出力する（S203）。親画面生成部１４に入力されたデータrb1は、図８（ｂ）に示すように、第１メモリ１４１に記憶される（S204）。
【００５１】
第１デコーダ１４２は、第１メモリ１４１に記憶されたデータrb1をデコードし（S205）、図８（ｂ）に示すように、映像合成部１６に出力する（S206）。映像合成部１６は、このデータrb1の映像データを表示装置２で表示させる（S207）（通常再生期間pb1）。
【００５２】
データ読出部１２は、ステップS202〜S207の処理の間にシーンデータ１７１にアクセスし、スキップ区間再生用データを取得する（S208）。スキップ区間再生用データとは、現在再生されているシーンがスキップされた場合のスキップ終了位置tb2及びスキップ内位置tb3である。また、スキップ内位置tb3は、スキップ終了位置tb2と子画面再生用の時間として定められるプレビュー時間との差によって求めることができる。
【００５３】
シーン01の再生中に操作入力部にシーンスキップ操作信号が入力されると（S209）、データ読出部１２は、ステップS208で取得したスキップ区間再生用データに基づいて子画面用のデータ（プレビュー区間データ）rb3を読み出し、その後、シーン02のデータrb2を読み出す（S210）。データ読出部１２は、読み出したデータrb3を子画面生成部１５に出力する（S211）。子画面生成部１５に入力されたデータrb3は、図８（ｂ）に示すように、第２メモリ１５１に記憶される（S212）。
【００５４】
その後、第２デコーダ１５２は、第２メモリ１５１に記憶さたるデータrb3をデコードし、ビデオスケーラ１５３に出力する（S213）。ビデオスケーラ１５３は、デコードされたデータrb3を画像縮小処理によって縮小し（S214）、映像合成部１６に出力する（S215）。
【００５５】
また、データ読出部１２は、記録媒体１１から読み出したデータrb2を親画面生成部１４に出力する（S216）。親画面生成部１４に入力されたデータrb2は、図８（ｂ）に示すように、第１メモリ１４１に記憶される（S217）。
【００５６】
第１デコーダ１４２は、第１メモリ１４１に記憶されたデータrb1をデコードし（S218）、図８（ｂ）に示すように、映像合成部１６に出力する（S219）。
【００５７】
親画面の映像データrb2と子画面の映像データrb3を入力した映像合成部１６は、親画面の映像データrb2に子画面の映像データrb3を合成して表示装置２に表示させる（S220,S221）（通常再生期間pb2、通常再生期間pb3）。
【００５８】
子画面の映像データrb3の再生が終了すると、映像再生装置１では、データ読出部１２によって読み出された続きのデータrb2が親画面生成部１４においてデコードされて映像合成部１６に入力され（S222〜S225）、表示装置２に表示させる（S226）（通常再生期間pb2）。
【００５９】
上述したように、本発明の第２の実施形態を適用した映像再生装置１ｂによれば、映像データが再生中の際にシーンがスキップされたとき、次のシーンの再生とともに、子画面としてスキップされたシーンの一部を表示する。これによって、ユーザにスキップされたシーンの内容及びスキップされたシーンから次のシーンへの移り変わりを把握させることができとともに、ユーザの視聴時間を短縮させることができる。
【００６０】
また、映像再生装置１ｂでは、データrb3を読み出した後にデータrb2を読み出していることにより、記録媒体１１へのシーケンシャルなアクセスが可能となり、同一時間帯に複数のコンテンツの読み出しが発生することはない。
【００６１】
［第３の実施形態］
次に、本発明の第３の実施形態を適用した映像再生装置１ｃについて説明する。映像再生装置１ｃの構成は、前述した図１による映像再生装置１と同一であるため、共通部分については説明を省略する。映像再生装置１ｃは、第１の実施形態を適用した映像再生装置１と、映像データのスキップ処理が異なる。映像再生装置１ｃは、前述した映像再生装置１にインストールされた映像再生プログラムと異なる映像再生プログラムがインストールされてＣＰＵで実行されることによって実現される。
【００６２】
映像再生装置１ｃでも、図１０（ａ）に示すように、映像データ（コンテンツa）を再生中に、データrc1まで再生されたスキップ開始位置tc1の時点でシーンスキップ操作信号が操作入力部１３に入力された場合、シーン01の次のシーン02の先頭位置（スキップ終了位置tc2）までスキップされる。
【００６３】
図１０（ｂ）は、スキップ処理がされる場合の親画面生成部１４及び子画面生成部１５で処理されるデータの様子を示す図である。また、映像再生装置１ｄにおける図１０（ａ）に示す映像データのスキップ処理を図１１のシーケンス図に示す。
【００６４】
まず、操作入力部１３に再生操作信号が入力されると（S301）、データ読出部１２は、記録媒体１１からシーン01の映像データを読み出す（S302）。また、データ読出部１２は、読み出したデータrc1を親画面生成部１４に出力する（S303）。親画面生成部１４に入力されたデータrc1は、図１０（ｂ）に示すように、第１メモリ１４１に記憶される（S304）。
【００６５】
第１デコーダ１４２は、第１メモリ１４１に記憶されたデータrc1をデコードし（S305）、図１０（ｂ）に示すように、映像合成部１６に出力する（S306）。映像合成部１６は、このデータrc1の映像データを表示装置２で表示させる（S307）（通常再生期間pc1）。
【００６６】
データ読出部１２は、ステップS302〜S307の処理の間にシーンデータ１７１にアクセスし、スキップ区間再生用データを取得する（S308）。スキップ区間再生用データとは、現在再生されているシーンがスキップされた場合のスキップ終了位置tc2及びスキップ内位置tc3である。また、スキップ内位置tc3は、スキップ終了位置tc2と子画面再生用の時間として定められるプレビュー時間との差によって求めることができる。
【００６７】
シーン01の再生中に操作入力部１３にシーンスキップ操作信号が入力されると（S309）、データ読出部１２は、ステップS308で取得したスキップ区間再生用データに基づいて、子画面用のデータ（プレビュー区間データ）rc3を読み出し、その後、シーン02のデータrc2を読み出す（S310）。データ読出部１２は、読み出したデータrc3を子画面生成部１５に出力する（S311）。子画面生成部１５に入力されたデータrc3は、図１０（ｂ）に示すように、第２メモリ１５１に記憶される（S312）。
【００６８】
その後、第２デコーダ１５２は、第２メモリ１５１に記憶されたデータrc3をデコードし、ビデオスケーラ１５３に出力する（S313）。ビデオスケーラ１５３は、デコードされたデータrc3を画像縮小処理によって縮小し（S314）、映像合成部１６に出力する（S315）。
【００６９】
映像合成部１６は、入力した子画面の映像データrb3を表示装置２に表示させる（S316）（通常再生期間pc3）。ここでは、表示装置２では、親画面は表示されずに、表示装置の表示画面サイズより縮小された子画面の映像データのみが表示されている。
【００７０】
また、データ読出部１２は、記録媒体１１から読み出したデータrc2を親画面生成部１４に出力する（S317）。親画面生成部１４に入力されたデータrc2は、図１０（ｂ）に示すように、第１メモリ１４１に記憶される（S318）。
【００７１】
第１デコーダ１４２は、第１メモリ１４１に記憶されたデータrc1をデコードし（S319）、図１０（ｂ）に示すように、映像合成部１６に出力する（S320）。
【００７２】
映像合成部１６は、入力した親画面の映像データrc2を表示装置２に表示させる（S321）（通常生成期間pc2）。
【００７３】
上述したように、本発明の第３の実施形態を適用した映像再生装置１ｃによれば、映像データが再生中の際にシーンがスキップされたとき、次のシーンの再生とともに、子画面としてスキップされたシーンの一部を表示する。これによって、ユーザにスキップされたシーンの内容及びスキップされたシーンから次のシーンへの移り変わりを把握させることができとともに、ユーザの視聴時間を短縮させることができる。
【００７４】
また、映像再生装置１ｃでは、データrc3を読み出した後にデータrc2を読み出していることにより、記録媒体１１へのシーケンシャルなアクセスが可能となり、動時間帯に複数のコンテンツの読み出しが発生することはない。
【００７５】
［第４の実施形態］
次に、本発明の第４の実施形態を適用した映像再生装置１ｄについて説明する。映像再生装置１ｄの構成は、前述した図１による映像再生装置１と同一であるため、共通部分については説明を省略する。映像再生装置１ｄは、第１の実施形態を適用した映像再生装置１と、映像データのスキップ処理が異なる。映像再生装置１ｄは、前述した映像再生装置１にインストールされた映像再生プログラムと異なる映像再生プログラムがインストールされてＣＰＵで実行されることによって実現される。
【００７６】
映像再生装置１ｄでも、図１２（ａ）に示すように、映像データ（コンテンツa）を再生中に、データrd1まで再生されたスキップ開始位置td1の時点でシーンスキップ操作信号が操作入力部１３に入力された場合、シーン01の次のシーン02の先頭位置（スキップ終了位置td2）までスキップされる。
【００７７】
図１２（ｂ）は、スキップ処理がされる場合の親画面生成部１４及び子画面生成部１５で処理されるデータの様子を示す図である。また、映像再生装置１ｃにおける図１２（ａ）に示す映像データのスキップ処理を図１３のシーケンス図に示す。
【００７８】
まず、操作入力部１３に再生操作信号が入力されると（S401）、データ読出部１２は、記録媒体１１からシーン01の映像データを読み出す（S402）。また、データ読出部１２は、読み出したデータrd1を親画面生成部１４に出力する（S403）。親画面生成部１４に入力されたデータrd1は、図１２（ｂ）に示すように、第１メモリ１４１に記憶される（S404）。
【００７９】
第１デコーダ１４２は、第１メモリ１４１に記憶されたデータrd1をデコードし（S405）、図１２（ｂ）に示すように、映像合成部１６に出力する（S406）。映像合成部１６は、このデータrd1の映像データを表示装置２で表示させる（S407）（通常再生期間pd1）。
【００８０】
データ読出部１２は、ステップS402〜S407の処理の間にシーンデータ１７１にアクセスし、スキップ区間再生用データを取得する（S408）。スキップ区間再生用データとは、現在再生されているシーンがスキップされた場合のスキップ終了位置td2、スキップ内位置td3及びプレビュー終了位置td4である。また、スキップ内位置td3は、スキップ終了位置td2と予め定められる時間td5との差によって求めることができる。さらに、プレビュー終了位置td4は、スキップ終了位置td2と予め定められる時間td6との差によって求めることができる。
【００８１】
シーン01の再生中に操作入力部１３にシーンスキップ操作信号が入力されると（S409）、データ読出部１２は、ステップS408で取得したスキップ区間再生用データに基づいて、子画面用のデータ（プレビュー区間データ）rd3を読み出すとともに、シーン02のデータrd2を読み出す（S410）。ここでは、データrd2とデータrd3の読み出しが同時に行われる期間（ダブル読出区間）がある。
【００８２】
また、データ読出部１２は、データrd3を子画面生成部１５に出力する（S411）。さらに、データ読出部１２は、データrd2を親画面生成部１４に出力する（S412）。
【００８３】
子画面生成部１５に入力されたデータrd3は、図１２（ｂ）に示すように、第２メモリ１５１に記憶される（S413）。その後、第２デコーダ１５２は、第２メモリ１５１に記憶されたデータrd3をデコードし、ビデオスケーラ１５３に出力する（S414）。ビデオスケーラ１５３は、デコードされたデータrd3を画像縮小処理によって縮小し（S415）、映像合成部１６に出力する（S416）。
【００８４】
また、親画面生成部１４に入力されたデータrd2は、図１２（ｂ）に示すように、第２メモリ１５１に記憶される（S417）。その後、第２デコーダ１５２は、第２メモリ１５１に記憶されたデータrd2をデコードし（S418）、デコードされたデータrd2を映像合成部１６に出力する（S419）。
【００８５】
親画面の映像データrb2及び子画面の映像データrb3を入力した映像合成部１６は、親画面の映像データrb2に子画面の映像データrb3を合成して表示装置２に表示させる（S420,S421）（通常再生期間pd2、通常再生期間pd3）。
【００８６】
子画面の映像データrd3の再生が終了すると、映像再生装置１では、データ読出部１２によって読み出された続きのデータrd2が親画面生成部１４においてデコードされて映像合成部１６に入力され（S422〜S425）、表示装置２に表示される（S426）（通常再生期間pd2）。
【００８７】
上述したように、本発明の第４の実施形態を適用した映像再生装置１ｄによれば、映像データが再生中の際にシーンがスキップされたとき、次のシーンの再生とともに、子画面としてスキップされたシーンの一部を表示する。これによって、ユーザにスキップされたシーンの内容及びスキップされたシーンから次のシーンへの移り変わりを把握させることができとともに、ユーザの視聴時間を短縮させることができる。
【００８８】
［第５の実施形態］
次に、本発明の第５の実施形態を適用した映像再生装置１ｅについて説明する。映像再生装置１ｅの構成は、前述した図１による映像再生装置１と同一であるため、共通部分については説明を省略する。映像再生装置１ｅは、第１の実施形態を適用した映像再生装置１と、映像データのスキップ処理が異なる。映像再生装置１ｅは、前述した映像再生装置１にインストールされた映像再生プログラムと異なる映像再生プログラムがインストールされてＣＰＵで実行されることによって実現することができる。
【００８９】
映像再生装置１ｅでも、図１４（ａ）に示すように、映像データ（コンテンツa）を再生中に、データre1まで再生されたスキップ開始位置te1の時点でシーンスキップ操作信号が操作入力部１３に入力された場合、シーン01の次のシーン02の先頭位置（スキップ終了位置te2）までスキップされる。
【００９０】
図１４（ｂ）は、スキップ処理がされる場合の親画面生成部１４及び子画面生成部１５で処理されるデータの様子を示す図である。また、映像再生装置１ｅにおける図１４（ａ）に示す映像データのスキップ処理を図１５のシーケンス図に示す。
【００９１】
まず、操作入力部１３に再生操作信号が入力されると（S501）、データ読出部１２は、記録媒体１１からシーン01の映像データを読み出す（S502）。また、データ読出部１２は、読み出したデータre1を親画面生成部１４に出力する（S503）。親画面生成部１４に入力されたデータre1は、図１４（ｂ）に示すように、第１メモリ１４１に記憶される（S504）。
【００９２】
第１デコーダ１４２は、第１メモリ１４１に記憶されたデータre1をデコードし（S505）、図１４（ｂ）に示すように、映像合成部１６に出力する（S506）。映像合成部１６は、このデータre1の映像データを表示装置２で表示させる（S507）（通常再生期間pe1）。
【００９３】
データ読出部１２は、ステップS502〜S507の処理の間にシーンデータ１７１にアクセスし、スキップ区間再生用データを取得する（S508）。スキップ区間再生用データとは、現在再生されているシーンがスキップされた場合のスキップ終了位置te2及びスキップ内位置te3である。また、スキップ内位置te3は、スキップ終了位置te2と予め定められる時間との差によって求めることができる。
【００９４】
シーン01の再生中に操作入力部１３にシーンスキップ操作信号が入力されると（S509）、データ読出部１２は、ステップS508で取得したスキップ区間再生用データに基づいて、子画面用のデータ（プレビュー区間データ）re3を読み出すとともに、シーン02のデータre2を読み出す（S510）。ここで、データre3が読み出される際には、図１４（ｂ）に示すように、通常再生の場合とは逆方向に読み出される。また、読み出しの際には、図１４（ｂ）に示すように、データre2とデータre3の読み出しが同時に行われる期間（ダブル読出区間）がある。
【００９５】
また、データ読出部１２は、データre3を子画面生成部１５に出力する（S511）。上述したように、データre3は、通常再生とは逆方向で読み出されたデータである。さらに、データ読出部１２は、データre2を親画面生成部１４に出力する（S512）。
【００９６】
子画面生成部１５に入力されたデータre3は、図１４（ｂ）に示すように、第２メモリ１５１に記憶される（S513）。その後、第２デコーダ１５２は、第２メモリ１５１に記憶されたデータre3をデコードし、ビデオスケーラ１５３に出力する（S514）。ビデオスケーラ１５３は、デコードされたデータre3を画像縮小処理によって縮小し（S515）、映像合成部１６に出力する（S516）。このデータre3は、読み出された方向と同様に通常再生の場合とは逆方向に再生されるデータである。
【００９７】
また、親画面生成部１４に入力されたデータre2は、図１４（ｂ）に示すように、第１メモリ１４１に記憶される（S517）。その後、第１デコーダ１４２は、第１メモリ１４１に記憶されたデータre2をデコードし（S518）、デコードされたデータre2を映像合成部１６に出力する（S519）。
【００９８】
親画面の映像データre2及び子画面の映像データre3を入力した映像合成部１６は、親画面の映像データre2に子画面の映像データre3を合成して表示装置２に表示させる（S520,S521）（通常再生期間pe2、逆方向再生期間pe3）。
【００９９】
子画面の映像データre3の再生が終了すると、映像再生装置１では、データ読出部１２によって読み出された続きのデータre2が親画面生成部１４においてデコードされて映像合成部１６に入力され（S522〜S525）、表示装置２に表示される（S526）（通常再生期間pe2）。
【０１００】
上述したように、本発明の第５の実施形態を適用した映像再生装置１ｅによれば、映像データが再生中の際にシーンがスキップされたとき、次のシーンの再生とともに、子画面としてスキップされたシーンの一部を表示する。これによって、ユーザにスキップされたシーンの内容及びスキップされたシーンから次のシーンへの移り変わりを把握させることができとともに、ユーザの視聴時間を短縮させることができる。
【０１０１】
［第６の実施形態］
次に、本発明の第６の実施形態を適用した映像再生装置１ｆについて説明する。映像再生装置１ｆの構成は、前述した図１による映像再生装置１と同一であるため、共通部分については説明を省略する。映像再生装置１ｆは、第１の実施形態を適用した映像再生装置１と、映像データのスキップ処理が異なる。映像再生装置１ｆは、前述した映像再生装置１にインストールされた映像再生プログラムと異なる映像再生プログラムがインストールされてＣＰＵで実行されることによって実現することができる。
【０１０２】
映像再生装置１ｆでも、図１６（ａ）に示すように、映像データ（コンテンツa）を再生中に、データrf1まで再生されたスキップ開始位置tf1の時点でシーンスキップ操作信号が操作入力部１３に入力された場合、シーン01の次のシーン02の先頭位置（スキップ終了位置tf2）までスキップされる。
【０１０３】
図１６（ｂ）は、スキップ処理がされる場合の親画面生成部１４及び子画面生成部１５で処理されるデータの様子を示す図である。また、映像再生装置１ｆにおける図１６（ａ）に示す映像データのスキップ処理を図１７のシーケンス図に示す。
【０１０４】
まず、操作入力部１３に再生操作信号が入力されると（S601）、データ読出部１２は、記録媒体１１からシーン01の映像データを読み出す（S602）。また、データ読出部１２は、読み出したデータrf1を親画面生成部１４に出力する（S603）。親画面生成部１４に入力されたデータrf1は、図１６（ｂ）に示すように、第１メモリ１４１に記憶される（S604）。
【０１０５】
第１デコーダ１４２は、第１メモリ１４１に記憶されたデータrf1をデコードし（S605）、図１６（ｂ）に示すように、映像合成部１６に出力する（S606）。映像合成部１６は、このデータrf1の映像データを表示装置２で表示させる（S607）（通常再生期間tf1）。
【０１０６】
データ読出部１２は、ステップS602〜S607の処理の間にシーンデータ１７１にアクセスし、スキップ区間再生用データを取得する（S608）。スキップ区間再生用データとは、現在再生されているシーンがスキップされた場合のスキップ終了位置tf2である。
【０１０７】
シーン01の再生中に操作入力部１３にシーンスキップ操作信号が入力されると（S609）、親画面生成部１４（データ読出部１２？）は、スキップ終了位置tf2及びプレビュー終了位置tf3を決定する（S610）。また、プレビュー終了位置tf3は、スキップ終了位置tf2と予め定められる時間との和によって求めることができる。
【０１０８】
スキップ終了位置が決定されると、データ読出部１２は、プレビュー終了位置tf３に基づいて、子画面用のデータ（プレビュー区間データ）rf3を読み出すとともに、シーン02のデータrf2を読み出す（S611）。データrf3は、図１６（ｂ）に示すように、スキップ区間のデータであるデータrf31と、スキップ終了位置tf2からプレビュー終了位置tf3との時間として予め定められる時間までのデータであるデータrf32とによって構成されている。読み出しの際には、図１６（ｂ）に示すように、データrf2とデータrf3の読み出しが同時に行われる期間（ダブル読出区間）がある。
【０１０９】
データ読出部１２は、読み出したデータrf3を子画面生成部１５に出力する（S612）。子画面生成部１５に入力されたデータrf3は、図１６（ｂ）に示すように、第２メモリ１５１に記憶される（S613）。その後、第２デコーダ１５２は、第２メモリ１５１に記憶されたデータrf3をデコードし、ビデオスケーラ１５３に出力する（S614）。ビデオスケーラ１５３は、デコードされたデータrf3を画像縮小処理によって縮小し（S615）、映像合成部１６に出力する（S616）。
【０１１０】
このデータrf3を構成するデータrf31は、高速再生をするようにしてビデオスケーラ１５３に入力される。例えば、映像データがMPEGデータの場合、データ読出部１２がIピクチャのみを記録媒体１１から読み出すことで、高速再生が可能となる。または、データ読出部１２が映像データを読み出した場合、データrf31について、Iピクチャのみを出力することで、高速再生が可能となる。第２デコーダ１５２において、Iピックチャを選択してデコードを行うことでも高速再生が可能になる。
【０１１１】
また、データ読出部１２は、データrf2を親画面生成部１４に出力する（S617）。親画面生成部１４に入力されたデータrf2は、図１６（ｂ）に示すように、第１メモリ１４１に記憶される（S618）。その後、第１デコーダ１４２は、第１メモリ１４１に記憶されたデータrf2をデコードし（S619）、デコードされたデータrf2を映像合成部１６に出力する（S620）。
【０１１２】
親画面の映像データrf2及び子画面の映像データrf3を入力した映像合成部１６は、親画面に子画面を合成して映像データとして表示装置２に表示させる（S621,S622）。このとき、映像データrf2とともに表示される映像データrf31は、高速で表示装置２に表示される（通常再生期間pf2、順方向高速再生期間pf3）。映像データrf31の再生が終了すると、通常の速度で映像データrf32が映像データrf31とともに表示装置２に表示される（通常再生期間pf2、通常再生期間pf4）。
【０１１３】
子画面の映像データrf3の再生が終了すると、映像再生装置１では、データ読出部１２によって読み出された続きのデータrf2が親画面生成部１４においてデコードされて映像合成部１６に入力され（S623〜S626）、表示装置２に表示される（S627）（通常再生期間pf2）。
【０１１４】
上述したように、本発明の第５の実施形態を適用した映像再生装置１ｆによれば、映像データが再生中の際にシーンがスキップされたとき、次のシーンの再生とともに、子画面としてスキップされたシーンの全区間あるいは一区間を高速再生表示する。これによって、ユーザにスキップされたシーンの内容及びスキップされたシーンから次のシーンへの移り変わりを把握させることができとともに、ユーザの視聴時間を短縮させることができる。
【０１１５】
また、映像再生装置１ｆでは、スキップされた区間全体をデータrf3とすると、その全てが表示されるため、ユーザにスキップされたデータrf3を把握させることができる。例えば、順方向高速再生期間pf３で表示されるデータはスキップ区間における全てのデータrf３１ではなく、スキップ区間のデータrf３１の一部のデータであってもよい。
【０１１６】
［第７の実施形態］
次に、本発明の第７の実施形態を適用した映像再生装置１ｇについて説明する。映像再生装置１ｇの構成は、前述した図１による映像再生装置１と同一であるため、共通部分については説明を省略する。映像再生装置１ｇは、第１の実施形態を適用した映像再生装置１と、映像データのスキップ処理が異なる。映像再生装置１ｇは、前述した映像再生装置１にインストールされた映像再生プログラムと異なる映像再生プログラムがインストールされてＣＰＵで実行されることによって実現することができる。
【０１１７】
映像再生装置１ｇでも、図１8（ａ）に示すように、映像データ（コンテンツa）を再生中に、データrg1まで再生されたスキップ開始位置tg1の時点でシーンスキップ操作信号が操作入力部１３に入力された場合、シーン01の次のシーン02の先頭位置（スキップ終了位置tg2）までスキップされる。
【０１１８】
図１８（ｂ）は、スキップ処理がされる場合の親画面生成部１４及び子画面生成部１５で処理されるデータの様子を示す図である。また、映像再生装置１ｇにおける図１８（ａ）に示す映像データのスキップ処理を図１９のシーケンス図に示す。
【０１１９】
まず、操作入力部１３に再生操作信号が入力されると（S701）、データ読出部１２は、記録媒体１１からシーン01の映像データを読み出す（S702）。また、データ読出部１２は、読み出したデータrg1を親画面生成部１４に出力する（S703）。親画面生成部１４に入力されたデータrg1は、図１８（ｂ）に示すように、第１メモリ１４１に記憶される（S704）。
【０１２０】
第１デコーダ１４２は、第１メモリ１４１に記憶されたデータrg1をデコードし（S705）、図１８（ｂ）に示すように、映像合成部１６に出力する（S706）。映像合成部１６は、このデータrg1の映像データを表示装置２で表示させる（S707）（通常再生期間pg1）。
【０１２１】
データ読出部１２は、ステップS702〜S707の処理の間にシーンデータ１７１にアクセスし、スキップ区間再生用データを取得する（S708）。スキップ区間再生用データとは、現在再生されているシーンがスキップされた場合のスキップ終了位置tg2である。スキップ内位置tg3は、スキップ終了位置tg2と予め定められる時間との差によって求めることができる。また、スキップ内終了直前位置tg4は、スキップ終了位置tg2と予め定められる時間との差によって求めることができる。
【０１２２】
シーン01の再生中に操作入力部１３にシーンスキップ操作信号が入力されると（S709）、親画面生成部１４（データ読出部１２？）は、スキップ終了位置tg2を決定する（S710）。
【０１２３】
スキップ終了位置が決定されると、データ読出部１２は、スキップ内位置tg3及びスキップ内直前終了位置tg4及びスキップ終了位置tg2に基づいて、子画面用のデータ（プレビュー区間データ）rg3を読み出す（S711）。データrg3は、図１８（ｂ）に示すように、スキップ終了位置tg2からスキップ内終了直前位置tg4までの区間のデータrg31と、スキップ内終了直前位置tg4からスキップ内位置tg3までの区間のデータであるデータrg32とによって構成されている。ここで、データrg3の読み出しは、逆方向に再生するように読み出す。また、読み出しの際には、図１６（ｂ）に示すように、データrf2とデータrf3の読み出しが同時に行われる期間（ダブル読出区間）がある。
【０１２４】
データ読出部１２は、読み出したデータrg3を子画面生成部１５に出力する（S712）。子画面生成部１５に入力されたデータrg3は、図１６（ｂ）に示すように、第２メモリ１５１に記憶される（S713）。その後、第２デコーダ１５２は、第２メモリ１５１で記憶されるデータrg3をデコードし、ビデオスケーラ１５３に出力する（S714）。ビデオスケーラ１５３は、デコードされたデータrg3を画像縮小処理によって縮小し（S715）、映像合成部１６に出力する（S716）。このデータrg3を構成するデータrg31は、高速再生をするようにしてビデオスケーラ１５３に入力される。高速再生するデータrg3は、第６の実施形態で上述した場合と同様の方法によって、読み出しまたはデコードすることによって生成される。
【０１２５】
また、データ読出部１２は、データrg2を親画面生成部１４に出力する（S717）。親画面生成部１４に入力されたデータrg2は、図１８（ｂ）に示すように、第１メモリ１４１に記憶される（S718）。その後、第１デコーダ１４２は、第１メモリ１４１に記憶されたデータrg2をデコードし（S719）、デコードされたデータrg2を映像合成部１６に出力する（S720）。
【０１２６】
親画面の映像データrg2及び子画面の映像データrg3を入力した映像合成部１６は、親画面の映像データに子画面の映像データを合成して表示装置２に表示させる（S721,S722）。このとき、映像データrg2とともに表示される映像データrg31は、逆方向で表示装置２に表示される（通常再生期間pg2、逆方向再生期間pg3）。映像データrf31の再生が終了すると、映像データrf31とともに映像データrf32が逆方向で高速に表示装置２に表示される（通常再生期間pg2、逆方向高速再生期間pg4）。
【０１２７】
子画面の映像データrg3の再生が終了すると、映像再生装置１では、データ読出部１２によって読み出された続きのデータrg2が親画面生成部１４においてデコードされて映像合成部１６に入力され（S723〜S726）、表示装置２に表示される（S727）（通常方向再生期間pg2）。
【０１２８】
上述したように、本発明の第７の実施形態を適用した映像再生装置１ｇによれば、映像データが再生中の際にシーンがスキップされたとき、次のシーンの再生とともに、子画面としてスキップされたシーンの一部を表示する。これによって、ユーザにスキップされたシーンの内容及びスキップされたシーンから次のシーンへの移り変わりを把握させることができとともに、ユーザの視聴時間を短縮させることができる。
【図面の簡単な説明】
【０１２９】
【図１】本発明の第１の実施形態を適用した映像再生装置のブロック構成図である。
【図２】図１に示した映像再生装置で用いられるリモコン３の構成図である。
【図３】図１に示した映像再生装置で用いられるシーンデータ１７１の一例である。
【図４】図１に示した映像再生装置におけるスキップ動作について簡単に説明する図である。
【図５】本発明の第１の実施形態を適用した映像再生装置でのスキップ操作がされた場合の動作を説明する図である。
【図６】本発明の第１の実施形態を適用した映像再生装置でのスキップ処理を説明するシーケンス図である。
【図７】本発明の第１の実施形態の変形例で用いられるチャプタデータの一例である。
【図８】本発明の第２の実施形態を適用した映像再生装置でのスキップ操作がされた場合の動作を説明する図である。
【図９】本発明の第２の実施形態を適用した映像再生装置でのスキップ処理を説明するシーケンス図である。
【図１０】本発明の第３の実施形態を適用した映像再生装置でのスキップ操作がされた場合の動作を説明する図である。
【図１１】本発明の第３の実施形態を適用した映像再生装置でのスキップ処理を説明するシーケンス図である。
【図１２】本発明の第４の実施形態を適用した映像再生装置でのスキップ操作がされた場合の動作を説明する図である。
【図１３】本発明の第４の実施形態を適用した映像再生装置でのスキップ処理を説明するシーケンス図である。
【図１４】本発明の第５の実施形態を適用した映像再生装置でのスキップ操作がされた場合の動作を説明する図である。
【図１５】本発明の第５の実施形態を適用した映像再生装置でのスキップ処理を説明するシーケンス図である。
【図１６】本発明の第６の実施形態を適用した映像再生装置でのスキップ操作がされた場合の動作を説明する図である。
【図１７】本発明の第６の実施形態を適用した映像再生装置でのスキップ処理を説明するシーケンス図である。
【図１８】本発明の第７の実施形態を適用した映像再生装置でのスキップ操作がされた場合の動作を説明する図である。
【図１９】本発明の第７の実施形態を適用した映像再生装置でのスキップ処理を説明するシーケンス図である。
【符号の説明】
【０１３０】
１…映像再生装置
１１…記録媒体
１２…データ読出部
１３…操作入力部
１４…親画面生成部
１４１…第１メモリ
１４２…第１デコーダ
１５…子画面生成部
１５１…第２メモリ
１５２…第２デコーダ
１５３…ビデオスケーラ
１６…映像合成部
１７…シーンデータ管理部
１７１…シーンデータ
１７２…チャプタデータ
１８…シーンデータ生成部
２…表示装置
２０…親画面
２１…子画面
３…リモコン
３１…再生ボタン
３２…停止ボタン
３３…シーンスキップボタン
３４…チャプタスキップボタン
３５…定間隔スキップボタン
【図１】
2008135848.tif 000003
【図２】
2008135848.tif 000004
【図３】
2008135848.tif 000005
【図４】
2008135848.tif 000006
【図５】
2008135848.tif 000007
【図６】
2008135848.tif 000008
【図７】
2008135848.tif 000009
【図８】
2008135848.tif 000010
【図９】
2008135848.tif 000011
【図１０】
2008135848.tif 000012
【図１１】
2008135848.tif 000013
【図１２】
2008135848.tif 000014
【図１３】
2008135848.tif 000015
【図１４】
2008135848.tif 000016
【図１５】
2008135848.tif 000017
【図１６】
2008135848.tif 000018
【図１７】
2008135848.tif 000019
【図１８】
2008135848.tif 000020
【図１９】
2008135848.tif 000021